(57)【要約】【課題】キートップのガタツキや傾きを抑制する。【解決手段】キー用貫通孔（５）の内面の側から延び、キートップ（３）または押し子（３ａ）に形成された係合孔（３ｂ）に挿入されることで筐体（２）からのキートップ（３）の抜けを防止する抜け防止部材（６）と、係合孔（３ｂ）の内部において、係合孔（３ｂ）の抜け防止部材（６）が接触している壁面と対向する壁面を押圧するように配置されるバネ部（６ａ）と、を備える。【選択図】図１
2017191711.tif 000002
【特許請求の範囲】
【請求項１】
電子機器の筐体に形成されたキー用貫通孔の内部に設けたキースイッチと、上記キー用貫通孔に挿通されて上記キースイッチを押圧する押し子が設けられたキートップと、を有するキー構造体を上記筐体に取り付けるためのキー構造体取付構造であって、
上記キー用貫通孔の内面の側から延び、上記キートップまたは上記押し子に形成された係合孔に挿入されることで上記筐体からの上記キートップの抜けを防止する抜け防止部材と、
上記係合孔の内部において、上記係合孔の上記抜け防止部材が接触している壁面と対向する壁面を押圧するように配置される弾性部材と、を備えていることを特徴とするキー構造体取付構造。
【請求項２】
上記係合孔に上記抜け防止部材を挿入した際にできる隙間が、上記弾性部材で埋められていることを特徴とする請求項１に記載のキー構造体取付構造。
【請求項３】
上記弾性部材と上記抜け防止部材とが一体成形されていることを特徴とする請求項１または２に記載のキー構造体取付構造。
【請求項４】
上記弾性部材が上記抜け防止部材に対して貼り付けられていることを特徴とする請求項１または２に記載のキー構造体取付構造。
【請求項５】
請求項１から４までの何れか１項に記載のキー構造体取付構造を備えていることを特徴とする電子機器。
【発明の詳細な説明】
【技術分野】
【０００１】
本発明は、キースイッチとキートップとを有するキー構造体を筐体に取り付けるためのキー構造体取付構造、および該キー構造体取付構造を備えた電子機器に関する。
【背景技術】
【０００２】
従来、電子機器の筐体に形成されたキー用貫通孔の内部に設けたキースイッチと、キー用貫通孔に挿通されてキースイッチを押圧する押し子が設けられたキートップと、を有するキー構造体が知られている。
【０００３】
特許文献１には、このようなキー構造体を携帯電話機の筐体に取付ける技術が開示されている。例えば、図７に示すように、携帯電話機１００では、キートップ１０３またはキートップ１０３の押し子１０３ａに設けられた係合孔１０３ｂに、筐体１０２の天面に形成された挿入孔１０７から挿入される抜け防止部材１０６の差込部１０６ｂを、係合させることによって、筐体１０２からのキートップ１０３の抜けを防止している。
【先行技術文献】
【特許文献】
【０００４】
【特許文献１】特開２０１５−１８５５３４号公報（２０１５年１０月２２日公開）
【発明の概要】
【発明が解決しようとする課題】
【０００５】
しかしながら、上述のような従来技術では、係合孔１０３ｂの壁面と抜け防止部材１０６の差込部１０６ｂとの間に隙間が存在しているため、キートップ１０３にガタツキや傾きが生じてしまうという問題点がある。具体的には、キートップ１０３、抜け防止部材１０６、挿入孔１０７、およびキースイッチ１０４にはそれぞれ部品公差が存在するため、それを許容できる隙間を各部材間に設定する必要がある。このため、各部材間には必ず隙間が存在する。この隙間があるため、キートップ１０３にガタツキや傾きが生じる可能性がある。
【０００６】
本発明は、上記の問題点に鑑みてなされたものであり、その目的は、キートップのガタツキや傾きを抑制することができるキー構造体取付構造などを実現することにある。
【課題を解決するための手段】
【０００７】
上記の課題を解決するために、本発明の一態様に係るキー構造体取付構造は、電子機器の筐体に形成されたキー用貫通孔の内部に設けたキースイッチと、上記キー用貫通孔に挿通されて上記キースイッチを押圧する押し子が設けられたキートップと、を有するキー構造体を上記筐体に取り付けるためのキー構造体取付構造であって、上記キー用貫通孔の内面の側から延び、上記キートップまたは上記押し子に形成された係合孔に挿入されることで上記筐体からの上記キートップの抜けを防止する抜け防止部材と、上記係合孔の内部において、上記係合孔の上記抜け防止部材が接触している壁面と対向する壁面を押圧するように配置される弾性部材と、を備えていることを特徴としている。
【発明の効果】
【０００８】
本発明の一態様によれば、キートップのガタツキや傾きを抑制することができるという効果を奏する。
【図面の簡単な説明】
【０００９】
【図１】本発明の実施形態１に係るスマートフォンの主要部の構造または外観を示す図であり、（ａ）は、（ｂ）に示す上記スマートフォンのＩ−Ｉ断面の拡大断面図であり、（ｂ）は、上記スマートフォンの外観を示す正面図である。
【図２】抜け防止部材におけるバネ部の構成例を示す図であり、（ａ）は、抜け防止部材のバネ部の変形前の構造の一例を示し、（ｂ）は、抜け防止部材のバネ部の変形後の構造の一例を示し、（ｃ）は、抜け防止部材のバネ部の変形前の構造の別の例を示し、（ｄ）は、抜け防止部材のバネ部の変形後の構造の別の例を示す。
【図３】本発明の実施形態１に係るスマートフォンに関し、キースイッチとキートップとを有するキー構造体を筐体に取り付ける方法などを説明するための図である。
【図４】本発明の実施形態２に係るスマートフォンに関し、図１の（ｂ）に示す上記スマートフォンのＩ−Ｉ断面の拡大断面図である。
【図５】キートップまたは押し子に設けた係合孔における抜け防止部材およびバネ部の配置のバリエーションを示す図である。
【図６】キートップに設けた係合孔における抜け防止部材およびバネ部の配置のバリエーションを示す図である。
【図７】従来の携帯電話機のキー構造体の取付構造を示す断面図である。
【発明を実施するための形態】
【００１０】
本発明の実施の形態について図１〜図６に基づいて説明すれば、次の通りである。以下、説明の便宜上、特定の項目にて説明した構成と同一の機能を有する構成については、同一の符号を付記し、その説明を省略する場合がある。
【００１１】
〔実施形態１〕
図１は、本発明の実施形態１に係る電子機器としてのスマートフォン（電子機器）１の主要部の構造または外観を示す図である。図１の（ａ）は、図１の（ｂ）に示すＩ−Ｉ断面の拡大断面図であり、図１の（ｂ）は、スマートフォン１の外観を示す正面図である。図１の（ｂ）に示すように、スマートフォン１は、正面側に例えばタッチパネルを含む液晶表示部を収容する筐体２を有する。この筐体２は、正面側のキャビネットと背面側のキャビネットとが厚さ方向で分割されるような構造ではなく、１つの樹脂成形品よりなる。
【００１２】
以下に説明する実施形態では、スマートフォン１の筐体２に形成されたキー用貫通孔５の内部に設けたキースイッチ４と、キー用貫通孔５に挿通されてキースイッチ４を押圧する押し子３ａが設けられたキートップ３と、を有するキー構造体を筐体２に取り付けるためのキー構造体取付構造を備えた電子機器としてのスマートフォン１を例にとって説明する。しかしながら、本発明を適用することが可能な電子機器は、スマートフォンに限定されない。本発明を適用することが可能な電子機器として、例えば、携帯電話機、タブレット端末、ＰＨＳ（Personal Handy-phone System）、ＰＤＡ（Personal Digital Assistant）、パソコン、モバイルツール、電子辞書、電卓、およびゲーム機等を挙示することができる。
【００１３】
キートップ３またはキートップ３の押し子３ａに設けられた係合孔３ｂには、筐体２の天面に形成された挿入孔７から挿入され、キー用貫通孔５の上部の内面の側から下方に延びる抜け防止部材６の差込部６ｂが係合される。これにより、筐体２からのキートップ３の抜けが防止される。
【００１４】
また、抜け防止部材６の差込部６ｂを係合孔３ｂに係合させることによって、係合孔３ｂの内部において、係合孔３ｂの抜け防止部材６が接触している壁面と対向する壁面を押圧するようにバネ部（弾性部材）６ａが配置される。このため、抜け防止部材６が接触している壁面に対しては抜け防止部材６から力が働き、対向する壁面に対してはバネ部６ａによる弾性力が働き、これらの力は互いに逆向きとなる。このため、キートップ３のガタツキや傾きが抑制される。
【００１５】
また、換言すれば、抜け防止部材６の差込部６ｂを係合孔３ｂに係合させることによって、係合孔３ｂに抜け防止部材６を挿入した際にできる隙間が、バネ部６ａで埋められる。これにより、係合孔３ｂに抜け防止部材６を挿入した際にできる隙間が埋められるため、キートップ３のガタツキや傾きが抑制される。
【００１６】
なお、本実施形態では、バネ部６ａと抜け防止部材６とは一体成形されている。このようにバネ部６ａと抜け防止部材６とを一体成形することで、抜け防止部材６からバネ部６ａが簡単に分離してしまうことを抑制することができる。
【００１７】
図２の（ａ）は、抜け防止部材６のバネ部６ａの変形前の構造の一例を示す。一方、図２の（ｂ）は、抜け防止部材６のバネ部６ａの変形後の構造の一例を示す。これらの図に示す形態では、抜け防止部材６の差込部６ｂの先端側からバネ部６ａが上に向けて反り返るようにして延びている（バネ部６ａの先端は誘い込みの形状を為している）。
【００１８】
抜け防止部材６の材料は、ＡＢＳ（アクリロニトリル-ブタジエン-スチレン）、ＰＣ（ポリカーボネート）等の硬質樹脂、またはエラストマ等の軟質樹脂、ＳＵＳ（ステンレス）等のバネ性金属などを用いることができる。次に、図２の（ｃ）は、抜け防止部材６のバネ部（弾性部材）６ｃの変形前の構造の例を示す。一方、図２の（ｄ）は、抜け防止部材６のバネ部６ｃの変形後の構造の例を示す。これらの図に示す形態では、抜け防止部材６の差込部６ｂの根元側から下に向けて像の鼻のようにバネ部６ｃが延びている。
【００１９】
次に、図３は、キースイッチ４とキートップ３とを有するキー構造体を筐体２に取り付ける方法などを説明するための図である。図３の（ａ）に示すように筐体２の天面に形成された挿入孔７に対して抜け防止部材６の差込部６ｂを挿入する。
【００２０】
次に、図３の（ｂ）に示すように、抜け防止部材６の差込部６ｂを挿入孔７に挿入する際は、バネ部６ａの先端が誘い込みの形状になっている（バネ部６ａが上側に向けて反り返っている）ので、バネ部６ａの先端が挿入孔７の壁面に引っ掛かることがない。次に、図３の（ｃ）に示すように、係合孔３ｂに抜け防止部材６の差込部６ｂを係合させた後は、バネ部６ａの反力で抜け防止部材６が接触している壁面と対向する壁面に押しつける力が働き、キートップ３のガタツキや傾きが抑制される。
【００２１】
図３の（ｄ）に示すように、キートップ３の押し込み時には、バネ部６ａがキー用貫通孔５の奥側に向けて弾性変形するため、キーストロークが妨げられることがない。次に、図３の（ｅ）に示すように、抜け防止部材６を係合孔３ｂおよび挿入孔７から外すときも、バネ部６ａの先端を誘い込みの形状にしている（バネ部６ａが上側に向けて反り返っている）ため、バネ部６ａの先端が挿入孔７の壁面に引っ掛かることがない。
【００２２】
〔実施形態２〕
次に、図４に基づき、本発明の実施形態２に係るスマートフォン１について説明する。図４は、図１の（ｂ）に示すスマートフォン１のＩ−Ｉ断面の拡大断面図である。
【００２３】
本実施形態では、実施形態１のバネ部６ａと異なり、弾性材（弾性部材）６ｄが抜け防止部材６に対して貼り付けられていている点で上述した形態と異なっている。弾性材６ｄは、係合孔３ｂの内部において、係合孔３ｂの抜け防止部材６が接触している壁面と対向する壁面を押圧するように配置されている。
【００２４】
以上のように、抜け防止部材６に弾性材６ｄを貼り付けるという簡単な手法で、キー構造体取付構造を形成できるため、加工が容易になる。なお、弾性材６ｄの材料としては、クッション、シリコン、エラストマ、ゲルなどを挙示することができる。
【００２５】
〔キートップまたは押し子に設けた係合孔における抜け防止部材およびバネ部の配置のバリエーション〕
次に、図５および６に基づき、キートップまたは押し子に設けた係合孔おける抜け防止部材およびバネ部の配置のバリエーションについて説明する。
【００２６】
図５の（ａ）に示すように抜け防止部材６の差込部６ｂを１個、およびバネ部６ａを１個、それぞれキートップ３の係合孔３ｂの紙面に対して上下方向の中央部に配置しても良い。
【００２７】
また、図５の（ｂ）に示すように、キートップ３の紙面に対して上下方向の中央部に設けた押し子３ａに形成した係合孔３ｄに抜け防止部材６の差込部６ｂを１個、およびバネ部６ａを１個、それぞれ配置しても良い。次に、図５の（ｃ）に示すように、抜け防止部材６の差込部６ｂを２個、およびバネ部６ａを２個、それぞれキートップ３の係合孔３ｂの紙面に対して上下方向の両端に配置しても良い。また、図５の（ｄ）に示すように、キートップ３の紙面に対して上下方向の両端の近傍に押し子３ａを２つ設けても良い。
【００２８】
次に、図５の（ｅ）に示すように、キートップ３の紙面に対して上下方向の両端の近傍に設けた押し子３ａの２個のそれぞれについて、抜け防止部材６の差込部６ｂを１個、およびバネ部６ａを１個ずつ配置しても良い。次に、図６の（ａ）に示すように、キートップ３の係合孔３ｂの紙面に対して上下方向の中央部に１個のバネ部６ａを配置し、キートップ３の係合孔３ｂの紙面に対して上下方向の両端に抜け防止部材６の差込部６ｂをそれぞれ１個ずつ（合計２個）配置しても良い。図６の（ｆ）には、上述した図６の（ａ）に示す形態に対応する構成の分解斜視図を示している。
【００２９】
次に、図６の（ｂ）に示すように、キートップ３の係合孔３ｂの紙面に対して上下方向の両端にバネ部６ａをそれぞれ１個ずつ（合計２個）配置し、キートップ３の係合孔３ｂの紙面に対して上下方向の中央部に抜け防止部材６の差込部６ｂを１個、配置しても良い。次に、図６の（ｃ）に示すように、キートップ３の係合孔３ｂの紙面に対して上下方向の中央部付近に２個のバネ部６ａを配置し、キートップ３の係合孔３ｂの紙面に対して上下方向の両端に抜け防止部材６の差込部６ｂをそれぞれ１個ずつ（合計２個）配置しても良い。
【００３０】
次に、図６の（ｄ）に示すように、キートップ３の係合孔３ｂの紙面に対して上下方向の両端付近に、それぞれ１個（合計２個）のバネ部６ａを配置し、キートップ３の係合孔３ｂの紙面に対して上下方向の中央部付近に抜け防止部材６の差込部６ｂを２個、配置しても良い。
【００３１】
次に、図６の（ｅ）に示すように、キートップ３の係合孔３ｂの紙面に対して上下方向の両端付近に、それぞれ１個（合計２個）のバネ部６ａを配置し、キートップ３の係合孔３ｂの外のキートップ３の両端付近に抜け防止部材６の差込部６ｂをそれぞれ１個（合計２個）、配置しても良い。また、図６の（ｇ）に示すように、図６の（ｆ）に示す抜け防止部材６の差込部６ｂに替えて、略矩形形状の枠形状の差込部６ｅを抜け防止部材６に設けても良い。
【００３２】
〔まとめ〕
本発明の態様１に係るキー構造体取付構造は、電子機器（スマートフォン１）の筐体（２）に形成されたキー用貫通孔（５）の内部に設けたキースイッチ（４）と、上記キー用貫通孔に挿通されて上記キースイッチを押圧する押し子（３ａ）が設けられたキートップ（３）と、を有するキー構造体を上記筐体に取り付けるためのキー構造体取付構造であって、上記キー用貫通孔の内面の側から延び、上記キートップまたは上記押し子に形成された係合孔（３ｂ）に挿入されることで上記筐体からの上記キートップの抜けを防止する抜け防止部材（６）と、上記係合孔の内部において、上記係合孔の上記抜け防止部材が接触している壁面と対向する壁面を押圧するように配置される弾性部材（バネ部６ａ、バネ部６ｃ、弾性材６ｄ）と、を備えている構成である。
【００３３】
上記構成によれば、キートップまたは押し子に形成された係合孔の内部において、係合孔の抜け防止部材が接触している壁面と対向する壁面を押圧するように弾性部材が配置される。このため、抜け防止部材が接触している壁面に対しては抜け防止部材から力が働き、対向する壁面に対しては弾性部材による弾性力が働き、これらの力は互いに逆向きとなる。このため、キートップのガタツキや傾きが抑制される。
【００３４】
本発明の態様２に係るキー構造体取付構造は、上記態様１において、上記係合孔に上記抜け防止部材を挿入した際にできる隙間が、上記弾性部材で埋められていることが好ましい。上記構成によれば、係合孔に抜け防止部材を挿入した際にできる隙間が埋められるため、キートップのガタツキや傾きが抑制される。
【００３５】
本発明の態様３に係るキー構造体取付構造は、上記態様１または２において、上記弾性部材と上記抜け防止部材とが一体成形されていても良い。上記構成によれば、抜け防止部材から弾性部材が簡単に分離してしまうことを抑制することができる。
【００３６】
本発明の態様４に係るキー構造体取付構造は、上記態様１または２において、上記弾性部材が上記抜け防止部材に対して貼り付けられていても良い。上記構成によれば、抜け防止部材に弾性部材を貼り付けるという簡単な手法で、キー構造体取付構造を形成できるため、加工が容易になる。
【００３７】
本発明の態様５に係る電子機器は、上記態様１〜４の何れかのキー構造体取付構造を備えていることが好ましい。上記構成によれば、キートップのガタツキや傾きが抑制される電子機器を提供することができる。
【００３８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００３９】
１    スマートフォン（電子機器）
２    筐体
３    キートップ
３ａ  押し子
３ｂ  係合孔
３ｄ  係合孔
４    キースイッチ
５    キー用貫通孔
６    抜け防止部材
６ａ  バネ部（弾性部材）
６ｂ  差込部
６ｃ  バネ部（弾性部材）
６ｄ  弾性材（弾性部材）
６ｅ  差込部
７    挿入孔
【図１】
2017191711.tif 000003
【図２】
2017191711.tif 000004
【図３】
2017191711.tif 000005
【図４】
2017191711.tif 000006
【図５】
2017191711.tif 000007
【図６】
2017191711.tif 000008
【図７】
2017191711.tif 000009